【手続補正書】
【提出日】平成25年7月19日(2013.7.19)
【手続補正１】
【補正対象書類名】明細書
【補正対象項目名】全文
【補正方法】変更
【補正の内容】
【発明の詳細な説明】
【発明の名称】たばこパック、たばこパックの閉鎖機構、および関連の素材
【技術分野】
【０００１】
本発明は、たばこパックおよびたばこパックの素材に関する。
特に、本発明は、改善された閉鎖機構を有するヒンジ式カバー付きたばこパックに関する。
【背景技術】
【０００２】
さまざまな厚さのボール紙で製作されたヒンジ式の蓋付きのたばこ箱が公知である。
典型的には、これらのパックは、上部から開いて箱の内部に位置するたばこへのユーザのアクセスを可能にする蓋を備えている。
【０００３】
最近では、ますます多くのたばこ箱が、例えば、外枠にスライド可能に係合した内側パックの使用など、新たなやり方でのたばこへのアクセスを可能にするように設計されている。
また、貴金属などのきわめて高品質の材料で製作されることが多いｃｉｒｃａ１９００というたばこケースを再現するボール紙製のたばこパックを製造することが、ますます望まれるようになってきている。
そのようなパックの製造が試みられる理由の１つは、消費者が製品の品質と、製品を販売、または、提供するためのパッケージの品質とを結び付けて考えることが多いからである。
【０００４】
横開きの機構（すなわち、書籍に類似）を備えるこれら公知のパックは、いくつかの欠点を有している。
１つの欠点は、たばこパックの製造に使用されるボール紙が一般的には相当に薄く、したがって書籍、または、牡蠣の殻のような開放機構を可能にするために十分に堅固なパックを製造することが、ボール紙の厚さの増加（コストおよび製造の複雑さを大きく増加させる設計決定である）を伴わない限りきわめて難しいという事実に関する。
【０００５】
したがって、公知の書籍状の箱が製造される場合、中身が低品質の製品であると消費者に認識される貧弱なパックとなる。
例えば、公知の書籍状のボール紙製パックに閉鎖の圧力を加えたとき、パックが横方向に曲がり、あるいは座屈さえ生じ、ユーザがパックを適切に閉じることができないことが一般的である。
【０００６】
公知の書籍状の開放機構における別の欠点は、金属製のヒンジを使用し、したがって閉鎖の動作に対して特定の抵抗の性質を有しているたばこケースと同様の閉鎖の動作を再現できない点にある。
この閉鎖の動作の大きな相違の結果として、低品質のパックというユーザの印象が強まり、これに関連して低品質の製品というユーザの印象が強くなる。
【発明の概要】
【発明が解決しようとする課題】
【０００７】
したがって、書籍状の開放機構を有しているが、伝統的なたばこケースの外観だけでなく感触も再現するたばこパックについて、ニーズが存在している。
【課題を解決するための手段】
【０００８】
従来技術に関する課題を克服するために、本発明は、
・上面と、下面と、前記上面を前記下面へと接続する複数の長手方向の面とを有しており、前記長手方向の面のうちの１つが前面である内側パックと、
・パックが閉じられた状態にあるときに前記前面の全表面を覆うように構成され、前記内側パックの第１の長手方向の側面にヒンジによって取り付けられたカバーと、
・前記カバーを前記内側パックの第２の長手方向の側面に取り付けるリンク部材と
を備えるヒンジ式カバー付きたばこパックであって、
前記リンク部材が、前記カバーに対する前記内側パックの相対位置を完全に開いた状態と完全に閉じた状態との間のほぼ中間である第１の状態に付勢するように構成されていることを特徴とするヒンジ式カバー付きたばこパックを提供する。
【０００９】
好ましくは、前記内側パックが、上面と、下面と、前面と、後面と、２つの側面と、４つの斜めの面とを有する八角形の平行六面体（ｏｃｔａｇｏｎａｌ  ｐａｒａｌｌｅｌｅｐｉｐｅｄ）であり、
前記カバーが、前記内側パックの前記後面に固定されるとともに、前記リンク部材を介して前記内側パックの前記斜めの面のうちの１つにも固定されている。
【００１０】
好ましくは、前記カバーが、閉じられたときに、基本的に上壁と、下壁と、前壁と、後壁と、２つの側壁と、３つの斜めの壁とを有する八角形の平行六面体の形状であり、
前記カバーの前記後壁が、前記内側パックの前記後面に固定されるように構成されている。
【００１１】
好ましくは、前記カバーおよび前記内側パックが、閉じられた状態において、
・前記カバーの前記前壁が、前記内側パックの前記前面に重ねられ、
・前記カバーの前記上壁が、前記内側パックの前記上面を覆い、
・前記カバーの前記下壁が、前記内側パックの前記下面を覆い、
・前記カバーの前記側壁が、前記内側パックの前記側面を覆う
ように構成される。
【００１２】
好ましくは、上述のヒンジ式カバー付きたばこパックが、
このヒンジ式カバー付きたばこパックを閉じられた状態に付勢するための付勢手段
をさらに備えている。
【００１３】
好ましくは、先行の請求項のいずれかに記載のヒンジ式カバー付きたばこパックが、ユーザによる当該ヒンジ式カバー付きたばこパックの開放を容易にするために取っ手として動作することができるように前記４つの斜めの面のうちの１つへと固定されたタブをさらに備えている。
【００１４】
さらに本発明は、上述の内側パックを製造するための素材であって、
第１の前面パネルと第２の前面パネルとの間に配置された後面パネル
を備えており、
当該素材が前記内側パックへと折り曲げられるときに、前記第１の前面パネルが前記第２の前面パネルの下方に固定されるように構成されている素材を提供する。
【００１５】
好ましくは、前記第１の前面パネルに、前記内側パックの内部へとアクセスするための第１の開口が設けられ、前記第２の前面パネルに、前記内側パックの内部へとアクセスするための第２の開口が設けられ、前記第１の開口が、前記第２の開口よりも小さい寸法を有する。
【００１６】
好ましくは、前記第２の開口が、前記内側パックと同じ材料で作られた取り外し可能なパネルによって覆われる。
【００１７】
さらに本発明は、上述のカバーを製造するための素材であって、
・折り重ねられて互いに固定されるように構成された第１の上壁パネルおよび第２の上壁パネル、
・折り重ねられて互いに固定されるように構成された第１の下壁パネルおよび第２の下壁パネル、
・互いに重なるように折り曲げられて前記カバーの前記前壁を形成するように構成された第１の前壁パネルおよび第２の前壁パネル、
・前記内側パックの前記後面への取り付けに適した後面パネル、および
・前記第２の前壁へと取り付けられ、該前壁を前記内側パックへと取り付けるために適しており、前記カバーに対する前記内側パックの相対位置を完全に開いた状態と完全に閉じた状態との間のほぼ中間である第１の半開き状態に付勢するようにさらに構成されているリンク部材
を備える素材を提供する。
【００１８】
理解されるとおり、本発明は、従来技術に比べていくつかの利点をもたらす。
例えば、本発明のリンク部材がカバーおよび内側パックの相対位置を半閉鎖の状態に付勢するため、パックが２段階の動作で閉じることになり、ユーザに高品質のパックであるとの印象がもたらされる。
【００１９】
次に、本発明を添付の図面を参照して説明する。
【図面の簡単な説明】
【００２０】
【図１】本発明によるヒンジ式パックの第１実施例の正面図。
【図２】閉じられた状態で図示されている図１のヒンジ式パックの斜視図。
【図３】閉じられた状態で図示されている図１のヒンジ式パックの後面図。
【図４】開いた状態で図示されている図１のヒンジ式パックの斜視図。
【図５】第１の半開きの状態にある図１のヒンジ式パックの隠れていて見えない細部を示す上面図。
【図６】図１のヒンジ式パックの内側パックを製作するための素材の正面図。
【図７】図１のヒンジ式パックの蓋および接続手段を製作するための素材の正面図。
【図８】本発明によるヒンジ式パックの第２実施例の正面図。
【図９】閉じられた状態で図示されている図８のヒンジ式パックの斜視図。
【図１０】閉じられた状態で図示されている図８のヒンジ式パックの後面図。
【図１１】開いた状態で図示されている図８のヒンジ式パックの斜視図。
【図１２】第１の半開きの状態にある図８のヒンジ式パックの隠れていて見えない細部を示す上面図である。
【図１３】図８のヒンジ式パックの内側パックを製作するための素材の正面図。
【図１４】図８のヒンジ式パックの蓋および接続手段を製作するための素材の正面図。
【発明を実施するための形態】
【００２１】
図１が、本発明による第１実施例のヒンジ式パック１０の正面図である。
図１から見て取ることができるとおり、ヒンジ式パックのカバー２が、前面１１と、上面１２と、上面１２と同じ寸法を有する下面１３とを備えている。
さらに、カバー２は、側面１４および側面１５、側面１５と前面１１との間に位置する斜めの縁１８、ならびに前面１１と側面１４との間に位置する斜めの縁１７を備えている。
ヒンジ軸Ｈは、ヒンジ式パック１０の反対側に隠れており、見て取ることができない。
【００２２】
図２は、本発明によるヒンジ式パック１０の第１実施例の斜視図である。
図２のヒンジ式パック１０は、閉じられた状態で図示されている。
ヒンジ式パック１０は、前面１１と、上面１２と、側面１４と、側面１４と前面１１との間に位置する斜めの縁１７とを有するカバー２を備えている。
さらに、側面１４が、内側パック１の側面２２を見て取ることができる開口を備えている。
ヒンジ軸Ｈは、ヒンジ式パック１０の反対側に隠れており、見て取ることができない。
【００２３】
図３は、本発明によるヒンジ式パック１０の第１実施例の後面図である。
図３のヒンジ式パック１０は、閉じられた状態で図示されている。
カバー２が、後面２０と、後ろ側の斜めの縁１９と、側面１５と斜めの縁１９との間に形成される縁によって画定されるヒンジ軸Ｈとをさらに備えている。
さらに図３は、内側パック１の斜めの縁１６を示している。
【００２４】
図３に示した実施例においては、カバー２の後面２０が、内側パック１の後面（図示されていない）に寸法に関して実質的に同一であるが、他の実施例においては、これらの構成要素が異なる寸法であってもよい。
カバー２の後面２０が、カバー２の後壁の２つの面のうちの一方を画定しており、カバー２の後壁の他方の面（図示されていない）は、内側パック１の後面（図示されていない）に固定されている。
カバー２の一部であるリップ２１も、内側パック１の斜めの縁１６へと固定される。
【００２５】
これらの構成要素の固定、ならびに本発明の任意の他の構成要素の固定は、糊付け、化学的結合、機械的結合、などの公知の固定方法を使用して行うことができる。
【００２６】
図４が、本発明によるヒンジ式パック１０の斜視図である。
図４は、ヒンジ軸Ｈを中心とするカバー２の一部と内側パック１との相対回転によって、カバー２が内側パック１から引き離されたときのヒンジ式パック１０を示している。
カバー２は、前面内面２７ならびに下面内面２６および上面内面（図示されていない）を備えている。
さらに、内側パック１が、前面２５と、上面２４と、右前側の斜面２３と、左前側の斜面７２（図４には示されていない）と、ヒンジ式パック１０が閉じられた状態にあるときにカバー２の側面１４によって部分的に覆われる側面２２とを備えている。
【００２７】
開口Ａ２が、ヒンジ式パック１０の内部のたばこへのアクセスを提供するために、前面２５と上面２４とによって画定される表面に形成されている。
取り外し可能な金属製の包みなど、他の材料も、たばこをさらに覆うために使用することができる。
【００２８】
前面２５と上面２４とによって画定される表面は、第２の前面パネル３２および第２の上面パネル３５（図６を参照）の一部であり、その下方に、前面２５および上面２４に見られる開口よりもわずかに小さい寸法の開口Ａ１を備えている第１の前面パネル３０および第１の上面パネル３４によって画定される表面が位置している。
開口Ａ１および開口Ａ２の寸法の相違により、ヒンジ式パック１０のカバー２が開かれたときに、第２の前面パネル３０の前面７１および第２の上面パネル３４の上面７０を視認することができ、ヒンジ式パック１０が二重壁であるとの印象を生み出すことができる。
【００２９】
さらに図４は、詳しくは後述されるようにカバー２および内側パック１の相対配置を第１の半開きの状態、または、完全に閉じた状態に付勢するために、カバー２および内側パック１の両方へと接続されたリンク部材２８およびリンク部材２９を示している。
リンク部材は、ヒンジ式パック１０の残りの部分と同じ材料で製作され、後述されるように、カバー素材３の一部を形成する。
【００３０】
図５が、第１の半開きの状態にある図１のヒンジ式パックの上面図を隠れていて見えない細部とともに示している。
リンク部材２８の片側が、ヒンジ式パック１０の前面内面２７へと接続されている。
リンク部材２８の反対側は、リンク部材２９へと接続されている。
タブ２９ａが、リンク部材２９へと接続され、左側の斜面７２に固定されている。
タブ２９ａは、任意の適切な形状であってよいが、好ましくは左側の斜面７２と同じ寸法である。
【００３１】
次に、図４および図５を参照し、本発明の第１実施例のヒンジ式パック１０の動作を説明する。
図４に示されるように、パック１０が完全に開いた状態にあるとき、リンク部材２８およびリンク部材２９は、カバー２の前面内面２７から内側パック１の左前側の斜面７２へと延びている。
【００３２】
その後に、カバー２および内側パック１を一体に合わせるようなやり方で圧力が加えられると、前カバーがヒンジ軸Ｈを中心にして回転し、カバー２が図５に示されているような第１の半開きの状態に達するまで、リンク部材２８およびリンク部材２９を曲げるようなやり方で圧力を作用させる。
この第１の半開きの状態において、内側パック１およびカバー２は釣り合いを保った状態にあり、カバー２を内側パック１に対して時計方向に回転させようとすると、両方のリンク部材２８および２９に圧力が加わり、結果としてリンク部材２８および２９が曲がり、ヒンジ式パック１０を第１の状態に向かって付勢する一方で、カバー２を内側パック１に対して反時計方向に回転させようとすると、リンク部材２８に圧力が加わり、結果としてリンク部材２８が曲がり、ヒンジ式パック１０を第１の半開きの状態に向かって付勢する。
しかしながら、リンク部材２８を特定の点を超えて曲げるように圧力を加え続けると、タブ２９ａが前面の斜めの縁１８の内側角へと後退することで、リンク部材２８への圧力が減少する。
このリンク部材２８へと加わる力の減少が、ヒンジ式パック１０を閉じた状態に付勢することにつながる。
【００３３】
したがって、本発明によるパックのリンク機構によれば、パックが閉じた状態に向かって付勢されるだけでなく、半開きの状態に向けても付勢される。
したがって、パックを閉じるとき、パックの閉鎖が２つの異なる段階を経て行われる。
この抵抗を伴う閉鎖の動きは、パックが優れた品質であるとの印象をユーザに与えるようにも機能する。
【００３４】
図６が、本発明による内側パック素材３を示している。
見て取ることができるとおり、この内側パック素材３は、折り目（すなわち、破線）によって分けられた複数のパネルを含んでいる。
内側パック素材３は、後面パネル３１と、開口Ａ１を有する第１の前面パネル３０および第１の上面パネル３４と、開口Ａ２を有する第２の前面パネル３２および第２の上面パネル３５とを含んでいる。
【００３５】
第１の前面パネル３０は、第１の上面パネル３４へと接続され、第１の上面パネル３４は、後面パネル３１の第１の側へと接続されている。
後面パネル３１の他方の側が、下面パネル３３へと接続され、下面パネル３３が、第２の前面パネル３２の第１の側へと接続され、第２の前面パネル３２の他方の側が、第２の上面パネル３５へと接続されている。
下面パネル３３ならびに第１および第２の上面パネル３４、３５は、細長い八角形として形作られている。
【００３６】
矩形の斜面パネル３７が、後面パネル３１の各側に隣接して配置されている。
ひとたび折り曲げられると、斜面パネル３７は、内側パック１の後ろ側の両方の斜めの縁を形成する。
図２および図３に示されるように、これら後ろ側の斜めの縁のうち、斜めの縁１６だけが、組み立て後のヒンジ式パック１０において視認され、他の後ろ側の斜めの縁は、パネル５５（図７に示されている）によって覆われている。
矩形の内側横パネル４０が、斜面パネル３７の外側の辺に隣接して配置されている。
上側および下側のそれぞれの折り曲げタブ４２および４１が、各々の横パネル４０の上端および下端に隣接して配置されている。
【００３７】
矩形の斜面パネル３６が、第２の前面パネル３２の各側に隣接して配置されている。
ひとたび折り曲げられると、斜面パネル３６は、内側パック１の前側の第１の斜めの縁２３（図４を参照）およびタブ２９ａへと固定される前側の第２の斜めの縁７２（図示されていない）を形成する。
【００３８】
矩形の外側横パネル３９および３８が、斜面パネル３６の外側の辺に隣接して配置されている。
外側横パネル３８が、切り欠き３８ａを備えている。
この内側パック素材３が折り曲げられたとき、外側横パネル３８および３９は、内側横パネル４０を覆うように配置され、内側横パネル４０へと固定される。
【００３９】
次に、図６を参照して、この内側パック素材３を折り曲げる方法を説明する。
第１の前面パネル３０が、折り目に沿って第１の上面パネル３４に対して直角に内側へと曲げられる。
次いで、第１の上面パネル３４が、後面パネル３１に対して折り目に沿って直角に内側へと曲げられる。
これが済むと、上側および下側の折り曲げタブ４１および４２が、それぞれの折り目に沿って直角に内側へと折り曲げられる。
【００４０】
次いで、パネル３７および４０が、縁４２ａが縁３４ａに揃い、縁４０ａが縁３４ｂに揃い、縁３７ａが縁３４ｃに揃い、縁３７ｂが縁３３ａに揃い、縁４０ｂが縁３３ｂに揃い、縁４１ａが縁３３ｃに揃うまで、内側へと折り曲げられる。
タブ４１および２４は、下面パネル３３および第１の上面パネル３４にそれぞれ固定される。
【００４１】
最後に、第２の前面パネル３２が、第１の前面パネル３０を覆うように内側へと折り曲げられ、外側横パネル３８および３９が、内側横パネル４０へと固定される。
【００４２】
本発明によるヒンジ式パック１０において、内側パック素材３を製作するために使用されるボール紙、または、他の材料の目（ｇｒａｉｎ）は、内側パック素材３の長手方向に延びている。
【００４３】
図７が、本発明によるヒンジ式パック１０のカバー素材４を示している。
見て取ることができるとおり、このカバー素材４は、折り目によって分けられた複数のパネルを含んでいる。
タブ６４が、裏面パネル４３の片側に形成されている。
ヒンジ式パック１０が組み立てられるとき、裏面パネル４３は、内側パック１の後ろに固定される。
したがって、裏面パネル４３の向こう側が、図３に示した後面２０になる。
【００４４】
斜面パネル５５が、裏面パネル４３の他方の側に隣接して配置されている。
横パネル５４が、斜面パネル５５と斜面パネル５４との間に隣接して配置されている。
横タブ５６が、横パネル５４の右および左に隣接して配置されている。
横タブ６３が、横斜面パネル５３の右および左に隣接して配置されている。
前面パネル４４が、斜面パネル５３と外側斜面パネル５２との間に隣接して配置されている。
前面パネル４４の右側および左側に、内側および外側の下面および上面パネル５９および５７がそれぞれ隣接して配置されている。
【００４５】
横タブ６２が、外側斜面パネル５２の右側および左側に配置されている。
横タブ５９が、外側斜面パネル５２と内側横パネル５０との間に配置された外側横パネル５１の右側および左側に配置されている。
内側横パネル５０は、外側横パネル５１と内側斜面パネル４９との間に位置しており、内側斜面パネル４９は、内側横パネル５０と内側前面パネル４５との間に配置されている。
【００４６】
内側横パネル５０および内側横パネル５１は、タブ６０ならびに６１ａおよび６１ｂが突き出している八角形の開口を備えている。
内側前面パネル４５の向こう端に、リンクパネル４６およびリンクパネル４７ならびにタブ４８が形成されている。
使用時に、リンクパネル４６がリンク部材２８になり、リンクパネル４７がリンク部材２９になり、タブ４８がタブ２９ａになる。
【００４７】
次に、図７を参照して、カバー素材４を折り曲げる方法を説明する。
【００４８】
最初に、タブ６１ａ、６１ｂ、およびタブ６０は、タブ６０が外側横パネル５１上に平たく位置し、タブ６１ａが外側斜面パネル５２上に平たく位置し、タブ６１ｂが外側横パネル５１上に平たく位置するようなやり方で折り返される。
これらのタブは、それぞれのパネルへと固定される。
【００４９】
次いで、素材４の下半分が、タブ５６が外側の上面および下面パネル５７に置かれるように内側へと折り曲げられる。
次いで、内側上面パネル５８が、外側上面パネル５７へと折り返される。
このようにして、縁５５ａが縁５６ａ、５７ａ、および５８ｄに一致し、縁５３ａが縁５７ｄおよび５８ａに一致し、縁５２ａが縁４９ａ、５７ｃ、および５８ｂに一致し、縁５０ａが縁５１ａに一致し、縁５９ａが縁５７ｂおよび５８ｃに一致する。
【００５０】
本発明によるパックにおいて、カバー素材４を製作するために使用されるボール紙、または、他の材料の目は、カバー素材４の長手方向に延びている。
【００５１】
カバー素材４および内側パック素材３は、ひとたびそれぞれの三次元形状へと折り曲げられると、ヒンジ式パック１０へと組み立てられる。
これを行うために、カバー素材４のパネル４８が、図６に示されるように後面パネル３１の右側に位置する斜面パネル３７へと固定される。
また、裏面パネル４３が後面パネル３１へと固定され、タブ６４が後面パネル３１の左側に位置する斜面パネル３７（斜めの縁１６を備えている）へと固定される。
【００５２】
図８が、本発明によるヒンジ式パック１０’の第２実施例の正面図である。
図８から見て取ることができるとおり、ヒンジ式パック１０’のカバー２’が、前面１１’と、上面１２’と、上面１２’と同じ寸法を有する下面１３’とを備えている。
また、カバー２’は、側面１４’および側面１５’、側面１５’と前面１１’との間に位置する斜めの縁’１８、ならびに前面１１’と側面１４’との間に位置する斜めの縁１７’を備えている。
ヒンジ軸Ｈ’は、ヒンジ式パック１０’の反対側に隠れており、見て取ることができない。
【００５３】
図９が、本発明によるヒンジ式パック１０’の第２実施例の斜視図である。
図９のヒンジ式パック１０’は、閉じられた状態で図示されている。
ヒンジ式パック１０’は、前面１１’と、上面１２’と、側面１４’と、側面１４’と前面１１’との間に位置する斜めの縁１７’とを有するカバー２’を備えている。
さらに、側面１４’が、内側パック１’の側面２２’を見て取ることができる開口を備えている。
ヒンジ軸Ｈ’は、ヒンジ式パック１０’の反対側に隠れており、見て取ることができない。
【００５４】
図１０が、本発明によるヒンジ式パック１０’の第２実施例の後面図である。
図１０のヒンジ式パック１０’は、閉じられた状態で図示されている。
カバー２’が、後面２０’と、後ろ側の斜めの縁１９’と、側面１５’と斜めの縁１９’との間に形成される縁によって画定されるヒンジ軸Ｈ’とをさらに備えている。
さらに図１０は、内側パック１’の斜めの縁１６’も示している。
【００５５】
図１０に示した実施例においては、カバー２’の後面２０’が、内側パック１’の後面（図示されていない）に寸法に関して実質的に同一であるが、他の実施例においては、これらの構成要素が異なる寸法であってもよい。
カバー２’の後面２０’が、カバー２’の後壁の２つの面のうちの一方を画定しており、カバー２’の後壁の他方の面（図示されていない）は、内側パック１’の後面（図示されていない）に固定される。
カバー２’の一部であるリップ２１’も、内側パック１’の斜めの縁１６’へと取り付けられる。
【００５６】
図１１が、本発明によるヒンジ式パック１０’の斜視図である。
図１１は、ヒンジ軸Ｈ’を中心とするカバー２’の一部と内側パック１’との相対回転によって、カバー２’が内側パック１’から引き離されたときのパック１０’を示している。
カバー２’は、前面内面２７’ならびに下面内面２６’および上面内面（図示されていない）を備えている。
内側パック１’が、前面２５’と、上面２４’と、右前側の斜面２３’と、左前側の斜面７２’（図１１には示されていない）と、ヒンジ式パック１０’が閉じられた状態にあるときにカバー２’の側面１４’によって部分的に覆われる側面２２’とをさらに備えている。
【００５７】
第２実施例のヒンジ式パック１０’においては、開口Ａ１’よりもわずかに大きい寸法である開口Ａ２’が、取り外し可能ないたずら防止タブによって覆われている。
取り外し可能な金属製の包みなど、他の材料も、たばこをさらに覆うために使用することができる。
【００５８】
前面２５’と上面２４’とによって画定される表面は、第２の前面パネル３２’および第２の上面パネル３５’（図１３を参照）の一部であり、その下方に、前面２５’および上面２４’に見られる開口（本発明の第２実施例においては、取り外し可能ないたずら防止タブによって覆われている）よりもわずかに小さい寸法の開口Ａ１を備えている第１の前面パネル３０’および第１の上面パネル３４’によって画定される表面が位置している。
開口Ａ１’および開口Ａ２’の寸法の相違により、ヒンジ式パック１０’のカバー２’が開かれ、いたずら防止タブが取り除かれたときに、第２の前面パネル３０’の前面７１’および第２の上面パネル３４’の上面７０’を視認することができ、ヒンジ式パック１０’が二重壁であるとの印象を生み出すことができる。
【００５９】
さらに図１１は、詳しくは後述されるようにカバー２’および内側パック１’の相対配置を第１の半開きの状態、または、完全に閉じた状態に付勢するために、カバー２’および内側パック１’の両方へと接続されたリンク部材２８’およびリンク部材２９’を示している。
これらのリンク部材は、ヒンジ式パック１０’の残りの部分と同じ材料で製作され、後述されるように、内側パック素材３’の一部を形成する。
【００６０】
図１２が、第１の半開きの状態にある図８のヒンジ式パック１０’の上面図を隠れていて見えない細部とともに示している。
リンク部材２８’の片側が、ヒンジ式パック１０’の前面内面２７’へと接続されている。
リンク部材２８’の反対側は、リンク部材２９’へと接続されている。
タブ２９ａ’が、リンク部材２９’へと接続され、左側の斜面７２’に固定されている。
タブ２９ａ’は、任意の適切な形状であってよいが、好ましくは左側の斜面７２’と同じ寸法である。
【００６１】
次に、図１１および１２を参照し、本発明の第２実施例であるヒンジ式パック１０’の動作を説明する。
図１１に示されるように、ヒンジ式パック１０’が完全に開いた状態にあるとき、リンク部材２８’およびリンク部材２９’は、カバー２’の前面内面２７’から内側パック１’の左前側の斜面７２’へと延びている。
【００６２】
その後に、カバー２’および内側パック１’を一体に合わせるようなやり方で圧力が加えられると、前カバーがヒンジ軸Ｈ’を中心にして回転し、カバー２’が図１２に示されているような第１の半開きの状態に達するまで、リンク部材２８’および２９’にリンク部材２８’および２９’を曲げるようなやり方で圧力を作用させる。
この第１の半開きの状態において、内側パック１’およびカバー２’は釣り合いを保った状態にあり、カバー２’を内側パック１’に対して時計方向に回転させようとすると、両方のリンク部材２８’および２９’に圧力が加わり、結果としてリンク部材２８’および２９’が曲がり、ヒンジ式パック１０’を第１の半開きの状態に向かって付勢する一方で、カバー２’をヒンジ式パック１’に対して反時計方向に回転させようとすると、リンク部材２８’に圧力が加わり、結果としてリンク部材２８’が曲がり、ヒンジ式パック１０’を第１の半開きの状態に向かって付勢する。
しかしながら、リンク部材２８’を特定の点を超えて曲げるように圧力を加え続けると、タブ２９ａ’が前面の斜めの縁１８’の内側角へと後退することで、リンク部材２８’への圧力が減少する。
このリンク部材２８’へと加わる力の減少が、ヒンジ式パック１０’を閉じた状態に付勢することにつながる。
【００６３】
したがって、本発明によるヒンジ式パックのリンク機構によれば、ヒンジ式パックが閉じた状態に向かって付勢されるだけでなく、半開きの状態に向けても付勢される。
したがって、ヒンジ式パックを閉じるとき、ヒンジ式パックの閉鎖が２つの異なる段階を経て行われる。
この抵抗を伴う閉鎖の動きは、ヒンジ式パックが優れた品質であるとの印象をユーザに与えるようにも機能する。
【００６４】
図１３が、本発明による内側パック素材３’を示している。
見て取ることができるとおり、この内側パック素材３’は、折り目（すなわち、破線）によって分けられた複数のパネルを含んでいる。
内側パック素材３’は、後面パネル３１’と、開口Ａ１’を有する第１の前面パネル３０’および第１の上面パネル３４’と、いたずら防止タブＴによって覆われた開口Ａ２’を有する第２の前面パネル３２’および第２の上面パネル３５’とを含んでいる。
【００６５】
第１の前面パネル３０’が、第１の上面パネル３４’へと接続され、第１の上面パネル３４’は、後面パネル３１’の第１の側へと接続されている。
後面パネル３１’の他方の側が、下面パネル３３’へと接続され、下面パネル３３’が、第２の前面パネル３２’の第１の側へと接続され、第２の前面パネル３２’の他方の側が、第２の上面パネル３５’へと接続されている。
下面パネル３３’ならびに第１および第２の上面パネル３４’、３５’は、細長い八角形として形作られている。
【００６６】
矩形の斜面パネル３７’が、後面パネル３１’の各側に隣接して配置されている。
ひとたび折り曲げられると、斜面パネル３７’は、内側パック１’の後ろ側の両方の斜めの縁を形成する。
図２’および図３’に示されるように、これら後ろ側の斜めの縁のうち、斜めの縁１６’だけが、組み立て後のヒンジ式パック１０’において視認され、他の後ろ側の斜めの縁は、パネル５５’（図１４に示されている）によって覆われている。
矩形の内側横パネル４０’が、斜面パネル３７’の外側の辺に隣接して配置されている。
上側および下側のそれぞれの折り曲げタブ４２’および４１’が、各々の横パネル４０’の上端および下端に隣接して配置されている。
【００６７】
矩形の斜面パネル３６’が、第２の前面パネル３２’の各側に隣接して配置されている。
ひとたび折り曲げられると、斜面パネル３６’は、内側パック１’の前側の第１の斜めの縁２３’（図１３を参照）およびタブ２９ａ’へと固定される前側の第２の斜めの縁７２’（図示されていない）を形成する。
【００６８】
矩形の外側横パネル３９’および３８’が、斜面パネル３６’の外側の辺に隣接して配置されている。
外側横パネル３８’が、切り欠き３８ａ’を備えている。
この内側パック素材３’が折り曲げられたとき、外側横パネル３８’および３９’は、内側横パネル４０’を覆うように配置され、内側横パネル４０’へと固定される。
【００６９】
次に、図１３を参照して、この内側パック素材３’を折り曲げる方法を説明する。
第１の前面パネル３０’が、折り目に沿って第１の上面パネル３４’に対して直角に内側へと曲げられる。
次いで、第１の上面パネル３４’が、後面パネル３１’に対して折り目に沿って直角に内側へと曲げられる。
これが済むと、上側および下側の折り曲げタブ４１’および４２’が、それぞれの折り目に沿って直角に内側へと曲げられる。
【００７０】
次いで、パネル３７’および４０’が、縁４２ａ’が縁３４ａ’に揃い、縁４０ａ’が縁３４ｂ’に揃い、縁３７ａ’が縁３４ｃ’に揃い、縁３７ｂ’が縁３３ａ’に揃い、縁４０ｂ’が縁３３ｂ’に揃い、縁４１ａ’が縁３３ｃ’に揃うまで、内側へと折り曲げられる。
タブ４１’および２４’は、好ましくは下面パネル３３’および第１の上面パネル３４’にそれぞれ固定される。
【００７１】
最後に、第２の前面パネル３２’が、第１の前面パネル３０’を覆うように内側へと折り曲げられ、外側横パネル３８’および３９’が、内側横パネル４０へと固定される。
【００７２】
本発明によるヒンジ式パック１０’において、内側パック素材３’を製作するために使用されるボール紙、または、他の材料の目は、内側パック素材３’の長手方向に延びている。
【００７３】
図１４は、本発明によるヒンジ式パック１０’のカバー素材４’を示している。
見て取ることができるとおり、このカバー素材４’は、折り目によって分けられた複数のパネルを含んでいる。
タブ６４’が、裏面パネル４３’の片側に形成されている。
ヒンジ式パック１０’が組み立てられるとき、裏面パネル４３’は、内側パック１’の後ろに固定される。
したがって、裏面パネル４３’の向こう側が、図３’に示した後面２０’になる。
【００７４】
斜面パネル５５’が、裏面パネル４３’の他方の側に隣接して配置されている。
横パネル５４’が、斜面パネル５５’と斜面パネル５４’との間に隣接して配置されている。
横タブ５６’が、横パネル５４’の右および左に隣接して配置されている。
横タブ６３’が、横斜面パネル５３’の右および左に隣接して配置されている。
前面パネル４４’が、斜面パネル５３’と外側斜面パネル５２’との間に隣接して配置されている。
前面パネル４４’の右側および左側に、内側および外側の下面および上面パネル５９’および５７’がそれぞれ隣接して配置されている。
【００７５】
横タブ６２’が、外側斜面パネル５２’の右側および左側に配置されている。
横タブ５９’が、外側斜面パネル５２’と内側横パネル５０’との間に配置された外側横パネル５１’の右側および左側に配置されている。
内側横パネル５０’は、外側横パネル５１’と内側斜面パネル４９’との間に位置しており、内側斜面パネル４９’は、内側横パネル５０’と内側前面パネル４５’との間に配置されている。
【００７６】
内側横パネル５０’および内側横パネル５１’は、タブ６０’および６１ａ’が突き出している八角形の開口を備えている。
内側前面パネル４５’の向こう端に、リンクパネル４６’およびリンクパネル４７’ならびにタブ４８’が形成されている。
使用時に、リンクパネル４６がリンク部材２８’になり、リンクパネル４７’がリンク部材２９’になり、タブ４８’がタブ２９ａ’になる。
【００７７】
次に、図１４を参照して、カバー素材４’を折り曲げる方法を説明する。
【００７８】
最初に、タブ６１ａ’および６０’が、どちらも外側横パネル５１’上に平たく位置するようなやり方で折り返される。
これらのタブ６１ａ’および６０’は、好ましくはパネル５１’へと固定される。
【００７９】
次いで、カバー素材４’の下半分が、タブ５６’が外側の上面および下面パネル５７’に置かれるように内側へと折り曲げられる。
次いで、内側上面パネル５８’が、外側上面パネル５７’へと折り返される。
このようにして、縁５５ａ’が縁５６ａ’、５７ａ’、および５８ｄ’に一致し、縁５３ａ’が縁５７ｄ’および５８ａ’に一致し、縁５２ａ’が縁４９ａ’、５７ｃ’、および５８ｂ’に一致し、縁５０ａ’が縁５１ａ’に一致し、縁５９ａ’が縁５７ｂ’および５８ｃ’に一致する。
【００８０】
本発明によるヒンジ式パック１０’において、カバー素材４’を製作するために使用されるボール紙、または、他の材料の目は、カバー素材４’の長手方向に延びている。
【００８１】
カバー素材４’および内側パック素材３’は、ひとたびそれぞれの三次元形状へと折り曲げられると、ヒンジ式パック１０’へと組み立てられる。
これを行うために、カバー素材４’のパネル４８’が、図１３に示されるように後面パネル３１’の右側に位置する斜面パネル３７’へと固定される。
また、裏面パネル４３’が後面パネル３１’へと固定され、タブ６４’が後面パネル３１’の左側に位置する斜面パネル３７’（斜めの縁１６’を備えている）へと固定される。
【００８２】
本発明の第２実施例の他の特徴は、パックを閉じた状態に付勢するためにフラップＦおよびカバー２’の内側の対応するフラップを使用するロック機構の存在である。
【００８３】
最後に、本発明の第１実施例、第２実施例のさらなる特徴は、第１実施例および第２実施例の開口Ａ２’を覆う図１１から見て取ることができるようないたずら防止タブＴの存在である。
【手続補正２】
【補正対象書類名】特許請求の範囲
【補正対象項目名】全文
【補正方法】変更
【補正の内容】
【特許請求の範囲】
【請求項１】
上面と、下面と、前記上面を前記下面へと接続する複数の長手方向の面とを有しており、前記長手方向の面のうちの１つが前面である内側パックと、
パックが閉じられた状態にあるときに前記前面の全表面を覆うように構成され、前記内側パックの第１の長手方向の側面にヒンジによって取り付けられたカバーと、
前記カバーを前記内側パックの第２の長手方向の側面に取り付けるリンク部材と
を備えるヒンジ式カバー付きたばこパックであって、
前記リンク部材が、前記カバーに対する前記内側パックの相対位置を完全に開いた状態と完全に閉じた状態との間のほぼ中間である第１の状態に付勢するように構成されていることを特徴とするヒンジ式カバー付きたばこパック。
【請求項２】
前記内側パックが、上面と、下面と、前面と、後面と、２つの側面と、４つの斜めの面とを有する八角形の平行六面体であり、
前記カバーが、前記内側パックの前記後面に固定されるとともに、前記リンク部材を介して前記内側パックの斜めの面のうちの１つにも固定されていることを特徴とする請求項１記載のヒンジ式カバー付きたばこパック。
【請求項３】
前記カバーが、閉じられたときに、上壁と、下壁と、前壁と、後壁と、２つの側壁と、３つの斜めの壁とを有する八角形の平行六面体の形状であり、
前記カバーの前記後壁が、前記内側パックの後面に固定されるように構成されていることを特徴とする請求項１または請求項２記載のヒンジ式カバー付きたばこパック。
【請求項４】
前記カバーおよび前記内側パックが、閉じられた状態において、
前記カバーの前記前壁が、前記内側パックの前面に重ねられ、
前記カバーの前記上壁が、前記内側パックの上面を覆い、
前記カバーの前記下壁が、前記内側パックの下面を覆い、
前記カバーの前記側壁が、前記内側パックの側面を覆う
ように構成されていることを特徴とする請求項１乃至請求項３のいずれかに記載のヒンジ式カバー付きたばこパック。
【請求項５】
当該パックを閉じられた状態に付勢するための付勢手段
を備えていることを特徴とする請求項１乃至請求項４のいずれかに記載のヒンジ式カバー付きたばこパック。
【請求項６】
ユーザによる当該パックの開放を容易にするために取っ手として動作することができるように前記４つの斜めの面のうちの１つへと固定されたタブ
をさらに備えていることを特徴とする請求項１乃至請求項５のいずれかに記載のヒンジ式カバー付きたばこパック。
【請求項７】
請求項１乃至請求項６のいずれかに記載の内側パックを製造するための素材であって、
後面パネルが第１の前面パネルと第２の前面パネルとの間に配置されており、当該素材が前記内側パックへと折り曲げられるときに、前記第１の前面パネルが前記第２の前面パネルの下方に固定されるように構成されていることを特徴とする素材。
【請求項８】
前記第１の前面パネルに、前記内側パックの内部へとアクセスするための第１の開口が設けられ、前記第２の前面パネルに、前記内側パックの内部へとアクセスするための第２の開口が設けられ、前記第１の開口が、前記第２の開口よりも小さい寸法を有していることを特徴とする請求項６記載の素材。
【請求項９】
前記第２の開口が、前記内側パックと同じ材料で作られた取り外し可能なパネルによって覆われていることを特徴とする請求項７記載の素材。
【請求項１０】
請求項１乃至請求項６のいずれかに記載のカバーを製造するための素材であって、
折り重ねられて互いに固定されるように構成された第１の上壁パネルおよび第２の上壁パネル、
折り重ねられて互いに固定されるように構成された第１の下壁パネルおよび第２の下壁パネル、
互いに重なるように折り曲げられて前記カバーの前記前壁を形成するように構成された第１の前壁パネルおよび第２の前壁パネル、
前記内側パックの前記後面への取り付けに適した後面パネル、および
前記第２の前壁へと取り付けられ、該前壁を内側パックへと取り付けるために適しており、前記カバーに対する前記内側パックの相対位置を完全に開いた状態と完全に閉じた状態との間のほぼ中間である第１の状態に付勢するようにさらに構成されているリンク部材
を特徴とする素材。